(57)【要約】  本発明は、少なくとも１つのプロセッサと、コンピュータプログラムコードを含む少なくとも１つのメモリとを備えた装置において、少なくとも１つのメモリ及びコンピュータプログラムコードは、少なくとも１つのプロセッサとで、装置が、少なくとも：少なくとも１つのブロードキャストサービスベアラを使用することにより少なくとも１つの装置グループをターゲットとするグループサービス特有のグループサービスデータを搬送し；そしてグループサービスデータが搬送されないときでもグループサービスデータ搬送のために少なくとも１つのブロードキャストサービスベアラがアクティブであることを指示する；ようにさせるよう構成された装置に関する。【選択図】      図２
2014520440.tif 000002
【特許請求の範囲】
【請求項１】
少なくとも１つのプロセッサと、コンピュータプログラムコードを含む少なくとも１つのメモリとを備えた装置において、少なくとも１つのメモリ及びコンピュータプログラムコードは、少なくとも１つのプロセッサにより、装置が、少なくとも：
少なくとも１つのブロードキャストサービスベアラを使用することにより少なくとも１つの装置グループをターゲットとするグループサービス特有のグループサービスデータを搬送し；及び
グループサービスデータが搬送されないときでもグループサービスデータ搬送のために少なくとも１つのブロードキャストサービスベアラがアクティブであることを指示する；
ようにさせるように構成された装置。
【請求項２】
前記グループサービスデータは、長期進化（ＬＴＥ）レールウェイシステムで搬送される、請求項１に記載の装置。
【請求項３】
前記少なくとも１つのブロードキャストサービスベアラは、少なくとも１つのマルチメディアブロードキャストマルチキャストサービス（ＭＢＭＳ）ベアラである、請求項１又は２に記載の装置。
【請求項４】
前記グループサービスは、音声グループコールサービス（ＶＧＣＳ）手順に基づいて実行される、請求項１から３のいずれかに記載の装置。
【請求項５】
更に、各マルチキャストチャンネルサブフレームにおいて各サービスのグループサービスデータをマルチプレクスするようにさせる、請求項１から４のいずれかに記載の装置。
【請求項６】
前記マルチプレクスすることは、メディアアクセスコントロール（ＭＡＣ）レイヤにおいて行われる、請求項５に記載の装置。
【請求項７】
更に、マルチキャストチャンネルスケジューリング周期が利用できるときにグループサービスデータを適宜搬送するようにさせる、請求項１から６のいずれかに記載の装置。
【請求項８】
更に、グループサービスデータが搬送される場合には、マルチキャストチャンネルスケジューリング周期の時間巾全体にわたりグループサービスデータの存在をスケジューリング情報においてシグナリングするようにさせる、請求項１から７のいずれかに記載の装置。
【請求項９】
前記装置は、サーバー、ホスト又はノードを含む、請求項１から８のいずれかに記載の装置。
【請求項１０】
装置にロードされたときに、請求項１から８のいずれかに記載のモジュールを構成するプログラムインストラクションを含むコンピュータプログラム。
【請求項１１】
少なくとも１つのプロセッサと、コンピュータプログラムコードを含む少なくとも１つのメモリとを備えた装置において、少なくとも１つのメモリ及びコンピュータプログラムコードは、少なくとも１つのプロセッサとで、装置が、少なくとも：
グループサービススケジューリング情報をチェックし；
そのサービススケジューリング情報がマルチキャストチャンネルスケジューリング周期においてグループサービスデータの存在を指示する場合には、
グループサービスデータを聴取し；及び
上位のアプリケーションレイヤにグループサービスのアクティブ状態を指示する；
ようにさせるよう構成された装置。
【請求項１２】
前記グループサービスデータは、長期進化（ＬＴＥ）レールウェイシステムで搬送される、請求項１１に記載の装置。
【請求項１３】
前記グループサービスは、音声グループコールサービス（ＶＧＣＳ）手順に基づいて実行される、請求項１１又は１２に記載の装置。
【請求項１４】
前記装置は、ユーザ装置を含む、請求項１１に記載の装置。
【請求項１５】
前記装置にロードされたときに、請求項１１から１３に記載のモジュールを構成するプログラムインストラクションを含むコンピュータプログラム。
【請求項１６】
少なくとも１つのブロードキャストサービスベアラを使用することによって少なくとも１つの装置グループをターゲットとするグループサービス特有のグループサービスデータを搬送する段階と、
グループサービスデータが搬送されないときでもグループサービスデータ搬送のために少なくとも１つのブロードキャストサービスベアラがアクティブであることを指示する段階と、
を含む方法。
【請求項１７】
グループサービスデータ搬送のために少なくとも１つのブロードキャストサービスベアラがアクティブであるとの前記指示は、長期進化（ＬＴＥ）レールウェイシステムで実行される、請求項１６に記載の方法。
【請求項１８】
前記少なくとも１つのブロードキャストサービスベアラは、少なくとも１つのマルチメディアブロードキャストマルチキャストサービス（ＭＢＭＳ）ベアラである、請求項１６又は１７に記載の方法。
【請求項１９】
前記グループサービスは、音声グループコールサービス（ＶＧＣＳ）手順に基づいて実行される、請求項１６から１８のいずれかに記載の方法。
【請求項２０】
各マルチキャストチャンネルサブフレームにおいて各サービスのグループサービスデータをマルチプレクスすることを更に含む、請求項１６から１９のいずれかに記載の装置。
【請求項２１】
前記マルチプレクスすることは、メディアアクセスコントロール（ＭＡＣ）レイヤにおいて行われる、請求項２０に記載の方法。
【請求項２２】
マルチキャストチャンネルスケジューリング周期が利用できるときにグループサービスデータを適宜搬送することを更に含む、請求項１６から２１のいずれかに記載の方法。
【請求項２３】
グループサービスデータが搬送される場合には、マルチキャストチャンネルスケジューリング周期の時間巾全体にわたりサービスデータの存在をスケジューリング情報においてシグナリングすることを更に含む、請求項１６から２２に記載の方法。
【請求項２４】
請求項１６から２３のいずれか１つに記載の方法を実施するための手段を備えた装置。
【請求項２５】
グループサービススケジューリング情報をチェックする段階と、
そのサービススケジューリング情報がマルチキャストチャンネルスケジューリング周期においてグループサービスデータの存在を指示する場合には、
グループサービスデータを聴取する段階と、
上位のアプリケーションレイヤにグループサービスのアクティブ状態を指示する段階と、
を含む方法。
【請求項２６】
前記グループサービスデータは、長期進化（ＬＴＥ）レールウェイシステムで搬送される、請求項２５に記載の方法。
【請求項２７】
前記グループサービスは、音声グループコールサービス（ＶＧＣＳ）手順に基づいて実行される、請求項２５又は２６に記載の方法。
【請求項２８】
コンピュータ読み取り可能な記憶媒体上で実施され、プロセスを実行するためにプロセスをコントロールするプログラムコードを含むコンピュータプログラムにおいて、そのプロセスは、
少なくとも１つのブロードキャストサービスベアラを使用することにより少なくとも１つの装置グループをターゲットとするグループサービス特有のグループサービスデータを搬送し、及び
グループサービスデータが搬送されないときでもグループサービスデータ搬送のために少なくとも１つのブロードキャストサービスベアラがアクティブであることを指示する、
ことを含むものであるコンピュータプログラム。
【請求項２９】
グループサービスデータ搬送のために少なくとも１つのブロードキャストサービスベアラがアクティブであるとの前記指示は、長期進化（ＬＴＥ）レールウェイシステムで実行される、請求項２８に記載のコンピュータプログラム。
【請求項３０】
前記少なくとも１つのブロードキャストサービスベアラは、少なくとも１つのマルチメディアブロードキャストマルチキャストサービス（ＭＢＭＳ）ベアラである、請求項２８又は２９に記載のコンピュータプログラム。
【請求項３１】
前記グループサービスは、音声グループコールサービス（ＶＧＣＳ）手順に基づいて実行される、請求項２８から３０のいずれかに記載のコンピュータプログラム。
【請求項３２】
各マルチキャストチャンネルサブフレームにおいて各サービスのグループサービスデータをマルチプレクスすることを更に含む、請求項２８から３１のいずれかに記載のコンピュータプログラム。
【請求項３３】
前記マルチプレクスすることは、メディアアクセスコントロール（ＭＡＣ）レイヤにおいて行われる、請求項３２に記載のコンピュータプログラム。
【請求項３４】
マルチキャストチャンネルスケジューリング周期が利用できるときにグループサービスデータを適宜搬送することを更に含む、請求項２８から３３のいずれかに記載のコンピュータプログラム。
【請求項３５】
グループサービスデータの搬送がアクティブである場合には、マルチキャストチャンネルスケジューリング周期の時間巾全体にわたりサービスデータの存在をスケジューリング情報においてシグナリングすることを更に含む、請求項２８から３４のいずれかに記載のコンピュータプログラム。
【請求項３６】
コンピュータ読み取り可能な記憶媒体上で実施され、プロセスを実行するためにプロセスをコントロールするプログラムコードを含むコンピュータプログラムにおいて、そのプロセスは、
グループサービススケジューリング情報をチェックし、
そのサービススケジューリング情報がマルチキャストチャンネルスケジューリング周期においてグループサービスデータの存在を指示する場合には、
グループサービスデータを聴取し、及び
上位のアプリケーションレイヤにグループサービスのアクティブ状態を指示する、
ことを含むものであるコンピュータプログラム。
【請求項３７】
前記グループサービスデータは、長期進化（ＬＴＥ）レールウェイシステムで搬送される、請求項３６に記載のコンピュータプログラム。
【請求項３８】
前記グループサービスは、音声グループコールサービス（ＶＧＣＳ）手順に基づいて実行される、請求項３６又は３７に記載のコンピュータプログラム。
【発明の詳細な説明】
【技術分野】
【０００１】
本発明は、装置、方法、システム、コンピュータプログラム、コンピュータプログラム製品、及びコンピュータ読み取り可能な媒体に関する。
【背景技術】
【０００２】
背景技術の以下の説明は、本発明以前に関連技術で知られておらずに本発明により提供される開示と一緒に、洞察力、発見、理解又は開示、或いは連想を含む。本発明のそのようなある貢献は、以下に特に指摘される一方、本発明の他のそのような貢献は、それらの文脈から明らかとなろう。
【０００３】
移動通信用のグローバルシステム（ＧＳＭ（登録商標））−レールウェイシステム−としても知られている鉄道用通信及びアプリケーションのための現在の国際ワイヤレス通信規格の進化として、長期進化（ＬＴＥ）に基づく将来の解決策が現在開発されている。この進化システムは、長期進化（ＬＴＥ）レールウェイ（Ｒ）と称される。
【０００４】
運転者、交通管制官及び技師のような鉄道運営スタッフ間で音声及びデータ通信を行うための手段を提供することが目標である。非常時に音声グループコールサービス（ＶＧＣＳ）及びコールプリエンプションのような複数のサービスをサポートするように設計されている。又、列車及び駅での貨物追跡、ビデオ監視、そして乗客インフォメーションサービス、等をサポートするように設計されている。
【発明の概要】
【０００５】
本発明の１つの態様によれば、少なくとも１つのプロセッサと、コンピュータプログラムコードを含む少なくとも１つのメモリとを備えた装置において、少なくとも１つのメモリ及びコンピュータプログラムコードは、少なくとも１つのプロセッサとで、装置が、少なくとも：少なくとも１つのブロードキャストサービスベアラを使用することにより少なくとも１つの装置グループをターゲットとするグループサービス特有のグループサービスデータを搬送し；及びグループサービスデータが搬送されないときでもグループサービスデータ搬送のために少なくとも１つのブロードキャストサービスベアラがアクティブであることを指示する；ようにさせるよう構成された装置が提供される。
【０００６】
本発明の別の態様によれば、少なくとも１つのプロセッサと、コンピュータプログラムコードを含む少なくとも１つのメモリとを備えた装置において、少なくとも１つのメモリ及びコンピュータプログラムコードは、少なくとも１つのプロセッサとで、装置が、少なくとも：グループサービススケジューリング情報をチェックし；そのサービススケジューリング情報がマルチキャストチャンネルスケジューリング周期におけるグループサービスデータの存在を指示する場合には、グループサービスデータを聴取し；及び上位のアプリケーションレイヤにグループサービスのアクティブ状態を指示する；ようにさせるよう構成された装置が提供される。
【０００７】
本発明の更に別の態様によれば、少なくとも１つのブロードキャストサービスベアラを使用することにより少なくとも１つの装置グループをターゲットとするグループサービス特有のグループサービスデータを搬送し；及びグループサービスデータが搬送されないときでもグループサービスデータ搬送のために少なくとも１つのブロードキャストサービスベアラがアクティブであることを指示する；ことを含む方法が提供される。
【０００８】
本発明の更に別の態様によれば、グループサービススケジューリング情報をチェックし；そのサービススケジューリング情報がマルチキャストチャンネルスケジューリング周期におけるグループサービスデータの存在を指示する場合には、グループサービスデータを聴取し；及び上位のアプリケーションレイヤにグループサービスのアクティブ状態を指示する；ことを含む方法が提供される。
【０００９】
本発明の更に別の態様によれば、少なくとも１つのブロードキャストサービスベアラを使用することにより少なくとも１つの装置グループをターゲットとするグループサービス特有のグループサービスデータを搬送する手段と、グループサービスデータが搬送されないときでもグループサービスデータ搬送のために少なくとも１つのブロードキャストサービスベアラがアクティブであることを指示する手段とを備えた装置が提供される。
【００１０】
本発明の更に別の態様によれば、グループサービススケジューリング情報をチェックする手段と、そのサービススケジューリング情報がマルチキャストチャンネルスケジューリング周期におけるグループサービスデータの存在を指示する場合には、グループサービスデータを聴取する手段と、上位のアプリケーションレイヤにグループサービスのアクティブ状態を指示する手段とを備えた装置が提供される。
【００１１】
本発明の更に別の態様によれば、コンピュータ読み取り可能な記憶媒体上で実施され、プロセスを実行するためにプロセスをコントロールするプログラムコードを含むコンピュータプログラムにおいて、そのプロセスは、少なくとも１つのブロードキャストサービスベアラを使用することにより少なくとも１つの装置グループをターゲットとするグループサービス特有のグループサービスデータを搬送し、及びグループサービスデータが搬送されないときでもグループサービスデータ搬送のために少なくとも１つのブロードキャストサービスベアラがアクティブであることを指示する、ことを含むものであるコンピュータプログラムが提供される。
【００１２】
本発明の更に別の態様によれば、コンピュータ読み取り可能な記憶媒体上で実施され、プロセスを実行するためにプロセスをコントロールするプログラムコードを含むコンピュータプログラムにおいて、そのプロセスは、グループサービススケジューリング情報をチェックし、そのサービススケジューリング情報がグループサービスデータの存在を指示する場合には、マルチキャストチャンネルスケジューリング周期においてグループサービスデータを聴取し、及び上位のアプリケーションレイヤにグループサービスのアクティブ状態を指示する、ことを含むものであるコンピュータプログラムが提供される。
【００１３】
以下、添付図面を参照して、本発明の幾つかの実施形態を一例として説明する。
【図面の簡単な説明】
【００１４】
【図１】システムの一例を示す。
【図２】フローチャートである。
【図３】装置の一例を示す。
【図４】別のフローチャートである。
【図５】装置の別の例を示す。
【発明を実施するための形態】
【００１５】
以下の実施形態は、一例に過ぎない。明細書の多くの位置で、「一」、「１つの」又は「ある」実施形態と表現されるが、これは、必ずしも、その各々が同じ実施形態であることを意味するものでもないし、特徴が単一の実施形態のみに適用されることを意味するものでもない。異なる実施形態の単一の特徴を結合して他の実施形態を構成することもできる。
【００１６】
実施形態は、任意のユーザ装置、例えば、ユーザターミナル、リレーノード、サーバー、ノード、対応コンポーネント、及び／又は必要な機能をサポートする通信システム又は異なる通信システムの組み合わせに適用される。通信システムは、ワイヤレス通信システムであるか、又は固定ネットワーク及びワイヤレスネットワークの両方を使用する通信ネットワークである。使用するプロトコル、通信システム、特にワイヤレス通信におけるサーバー及びユーザターミナルのような装置の仕様は、急速に発展している。そのような発展は、実施形態に対する特別な変更を要求する。それ故、全てのワード及び表現は、広く解釈されるべきであり、且つそれらは、実施形態を例示するものであって、限定するものではない。
【００１７】
以下、実施形態が適用されるアクセスアーキテクチャーの例として、ダウンリンクでは直交周波数多重化アクセス（ＯＦＤＭＡ）及びアップリンクでは単一キャリア周波数分割多重アクセス（ＳＣ−ＦＤＭＡ）をベースとするＬＴＥ進歩型、即ちＬＴＥ−Ａに基づく無線アクセスアーキテクチャーを使用して、異なる規範的実施形態を説明するが、それら実施形態はそのようなアーキテクチャーに限定されるものではない。当業者であれば、それら実施形態は、パラメータ及び手順を適宜に調整することにより適当な手段を有する他の種類の通信ネットワークにも適用できることが明らかであろう。例えば、それら実施形態は、周波数分割デュープレックス（ＦＤＤ）及び時分割デュープレックス（ＴＤＤ）の両方に適用される。
【００１８】
直交周波数分割多重化（ＯＦＤＭ）システムでは、利用可能なスペクトルが複数の直交サブキャリアに分割される。ＯＦＤＭシステムでは、利用可能な帯域巾が、より狭いサブキャリアに分割され、そしてデータが並列なストリームにおいて送信される。各ＯＦＤＭ記号は、各サブキャリアにおける信号の直線的合成である。更に、各ＯＦＤＭ記号の前には、記号間干渉を減少するのに使用される反復プレフィックス（ＣＰ）がある。ＯＦＤＭとは異なり、ＳＣ−ＦＤＭＡサブキャリアは、独立して変調されるものではない。
【００１９】
典型的に、（ｅ）ＮｏｄｅＢ（“ｅ”は進化を表わす）は、ユーザ装置への送信をスケジュールするために、許されたサブバンドにわたって各ユーザ装置のチャンネルクオリティ及び／又は好ましいプリコーディングマトリクス（及び／又は他の複数入力／複数出力（ＭＩＭＯ）特有のフィードバック情報、例えば、チャンネル量子化）を知ることが必要である。要求される情報は、通常、（ｅ）ＮｏｄｅＢへシグナリングされる。
【００２０】
図１は、簡単なシステムアーキテクチャーを例示するもので、幾つかの要素及び機能的エンティティしか示しておらず、それらは、全て、論理的ユニットで、その実施は、図示されたものとは異なってもよい。図１に示す接続は、論理的な接続であり、実際の物理的接続は、異なるものでもよい。当業者であれば、システムは、典型的に、図１に示す以外の機能及び構造も含むことが明らかであろう。
【００２１】
しかしながら、実施形態は、一例として示されたシステムに限定されず、当業者であれば、必要なプロパティが設けられた他の通信システムにも解決策を適用することができよう。適当なシステムのための他のオプションの幾つかの例は、ユニバーサル移動テレコミュニケーションシステム（ＵＭＴＳ）無線アクセスネットワーク（ＵＴＲＡＮ又はＥ−ＵＴＲＡＮ）、長期進化（ＬＴＥ、Ｅ−ＵＴＲＡと同じ）、ワイヤレスローカルエリアネットワーク（ＷＬＡＮ又はＷｉＦｉ）、マイクロ波アクセスの世界的相互運用性（ＷｉＭＡＸ）、Ｂｌｕｅｔｏｏｔｈ（登録商標）、パーソナル通信サービス（ＰＣＳ）、ＺｉｇＢｅｅ（登録商標）、ワイドバンドコード分割多重アクセス（ＷＣＤＭＡ（登録商標））、超ワイドバンド（ＵＷＢ）技術を使用するシステム、センサネットワーク、移動アドホックネットワーク（ＭＡＮＥＴ）及びインターネットプロトコルマルチメディアサブシステム（ＩＭＳ）である。
【００２２】
図１は、Ｅ−ＵＴＲＡ、ＬＴＥ、ＬＴＥ進歩型（ＬＴＥ−Ａ）、又はＬＴＥ／ＥＰＣ（ＥＰＣ＝進化型パケットコアであり、ＥＰＣは、インターネットプロトコルトラフィックの高速データレート及び成長に対抗するためのパケット交換技術の改善型である）の無線アクセスネットワークの一部分を示す。Ｅ−ＵＴＲＡは、リリース８のエアインターフェイスである（ＵＴＲＡ＝ＵＭＴＳ地上無線アクセス、ＵＭＴＳ＝ユニバーサル移動テレコミュニケーションシステム）。ＬＴＥ（又はＥ−ＵＴＲＡ）により得られる幾つかの効果は、プラグ・アンド・プレイ装置、周波数分割デュープレックス（ＦＤＤ）及び時分割デュープレックス（ＴＤＤ）を同じプラットホームに使用できることである。
【００２３】
図１は、（ｅ）ＮｏｄｅＢ１０８が構成するセルにおいて、１つ以上の通信チャンネル１０４、１０６上でワイヤレス接続されるように構成されたユーザ装置１００及び１０２を示している。ユーザ装置から（ｅ）ＮｏｄｅＢへの物理的リンクは、アップリンク又は逆方向リンクと称され、そして（ｅ）ＮｏｄｅＢからユーザ装置への物理的リンクは、ダウンリンク又は順方向リンクと称される。
【００２４】
ＬＴＥ及びＬＴＥ進歩型におけるＮｏｄｅＢ又は進化型ノードＢ（ｅＮｏｄｅＢ、ｅＮＢ）は、それに接続される通信システムの無線リソースをコントロールするように構成されたコンピューティング装置である。又、（ｅ）ＮｏｄｅＢは、ベースステーション、アクセスポイントとも称され、或いはワイヤレス環境で動作できるリレーステーションを含む他の形式のインターフェイス装置とも称される。
【００２５】
（ｅ）ＮｏｄｅＢは、例えば、トランシーバを含む。（ｅ）ＮｏｄｅＢのトランシーバから、アンテナユニットへの接続がなされ、アンテナユニットは、ユーザ装置への両方向無線リンクを確立する。アンテナユニットは、複数のアンテナ又はアンテナ素子を含む。（ｅ）ＮｏｄｅＢは、更に、コアネットワーク１１０（ＣＮ）に接続される。システムにもよるが、ＣＮ側の対応部分は、サービングゲートウェイ（Ｓ−ＧＷ、ユーザデータパケットをルーティング及び転送する）、パケットデータネットワークゲートウェイ（Ｐ−ＧＷ）であり、ユーザ装置（ＵＥ）と、外部パケットデータネットワーク、又は移動管理エンティティ、等との接続を与える。
【００２６】
通信システムは、典型的に、２つ以上の（ｅ）ＮｏｄｅＢを備え、この場合に、（ｅ）ＮｏｄｅＢは、その目的で設計されたワイヤード又はワイヤレスリンクを経て互いに通信するようにも構成される。これらのリンクは、シグナリングの目的で使用される。
【００２７】
又、通信システムは、公衆交換電話ネットワーク又はインターネット１１２のような他のネットワークと通信することもできる。
【００２８】
ユーザ装置（ＵＥ、ユーザデバイス、ユーザターミナル、等とも称される）は、エアインターフェイス上のリソースが割り当てられ及び指定される装置の１つの形式を示し、従って、ユーザ装置でここに述べる特徴は、リレーノードのような対応装置で具現化することができる。そのようなリレーノードの一例は、ベースステーションに向かうレイヤ３リレー（自己バックホールリレー）である。
【００２９】
ユーザ装置は、典型的に、加入者識別モジュール（ＳＩＭ）を伴ったり伴わなかったりして動作するワイヤレス移動通信装置を含むポータブルコンピューティング装置を指し、これは、次の形式の装置、即ち移動ステーション（移動電話）、スマートホン、パーソナルデジタルアシスタント（ＰＤＡ）、ハンドセット、ワイヤレスモデムを使用する装置（アラーム又は測定装置、等）、ラップトップ及び／又はタッチスクリーンコンピュータ、タブレット、ゲームコンソール、ノートブック、及びマルチメディア装置を含むが、これに限定されない。
【００３０】
ユーザ装置（又はある実施形態ではレイヤ３リレーノード）は、ユーザ装置機能の１つ以上を遂行するように構成される。又、ユーザ装置は、幾つか挙げると、加入者ユニット、移動ステーション、リモートターミナル、アクセスターミナル、ユーザターミナル又はユーザ装置（ＵＥ）とも称される。
【００３１】
図１において、ユーザ装置は、明瞭化のため２つのアンテナしか含まないように示されていることを理解されたい。受信及び／又は送信アンテナの数は、当然、現在の具現化に基づいて変化し得る。
【００３２】
更に、装置は、単一のエンティティとして描かれているが、異なるユニット、プロセス及び／又はメモリユニット（図１には全部示されていない）が具現化されてもよい。
【００３３】
当業者であれば、ここに示すシステムは、無線アクセスシステムの一部分の一例に過ぎず、実際には、システムは、複数の（ｅ）ＮｏｄｅＢを備え、ユーザ装置は、複数の無線セルにアクセスすることができ、そしてシステムは、物理的レイヤリレーノード又は他のネットワーク要素、等の他の装置も備えていることが明らかであろう。ＮｏｄｅＢ又は（ｅ）ＮｏｄｅＢの少なくとも１つは、ホーム（ｅ）ＮｏｄｅＢである。更に、無線通信システムの地理的エリアにおいて、複数の異なる種類の無線セル及び複数の無線セルが設けられる。無線セルは、通常、直径が数十キロメータまでの大きなセルであるマクロセル（又はアンブレラセル）であるか、或いはマイクロ、フェムト又はピコセルのような小さなセルである。図１の（ｅ）ＮｏｄｅＢ１０８は、任意の種類のこれらのセルを形成することができる。セルラー無線システムは、多数の種類のセルを含むマルチレイヤネットワークとして具現化することができる。マルチレイヤネットワークでは、典型的に、１つの（ｅ）ＮｏｄｅＢが１つの種類のセル（１つ又は複数）を形成し、従って、そのようなネットワーク構造を形成するには、複数の（ｅ）ＮｏｄｅＢが要求される。
【００３４】
移動通信用のグローバルシステム（ＧＳＭ（登録商標））−レールウェイシステム−としても知られている鉄道用通信及びアプリケーションのための現在の国際ワイヤレス通信規格の進化として、長期進化（ＬＴＥ）に基づく将来の解決策が現在開発されている。この進化システムは、長期進化（ＬＴＥ）レールウェイ（Ｒ）と称される。
【００３５】
運転者、交通管制官及び技師のような鉄道運営スタッフ間で音声及びデータ通信を行うための手段を提供することが目標である。非常時に音声グループコールサービス（ＶＧＣＳ）及びコールプリエンプションのような複数のサービスをサポートする。又、列車及び駅での貨物追跡、ビデオ監視、そして乗客インフォメーションサービス、等をサポートするように設計されている。
【００３６】
ＬＴＥ−Ｒは、専用のｅＮｏｄｅＢを鉄道の付近に使用して具現化されると仮定する。ＬＴＥ−Ｒのユーザは、列車、駅、車庫、現場に位置し、センター、ハブ、等をコントロールする。
【００３７】
音声グループコールサービス（ＶＧＣＳ）は、サービス加入者の所定グループによって同時に受信できるように１つ以上のチャンネルに単一の音声コールを与えるように設計される。グループコールは、特定の地理的エリアに制限される。同じグループコールエリアにおいて異なるグループに対して同時音声グループコールが存在する。
【００３８】
ＶＧＣＳでは、ユーザは、次の状態、即ち話し手、聴き手、及び発送者、の１つを有する。識別、指定プライオリティ、及び能力を含むグループメンバーの情報は、典型的に、グループコールレジスタ（ＧＣＲ）に記憶される。
【００３９】
ＶＧＣＳは、半デュープレックス（一度に一方向）の通信モードで動作する。従って、プッシュ・ツー・トーク機能が利用される。プッシュ・ツー・トーク（ＰＴＴ）プロセスは、話をしたいユーザが通話ボタンを押して送信を行うことを含む。
【００４０】
マルチメディアブロードキャスト及びマルチキャストサービス（ＭＢＭＳ）は、ＬＴＥにより提供されるブロードキャストサービスである。ＭＢＭＳは、単一のソースから多数のターゲットへデータを搬送するためにブロードキャスト配布を使用する。ＭＢＭＳアーキテクチャーは、通常、サービスをコントロールするブロードキャスト／マルチキャストサービスセンタ（ＢＭ−ＳＣ）を備えている。これは、典型的に、コアネットワークに配置される。ＬＴＥ−ＭＢＭＳは、進化型ＭＢＭＳ又はｅＭＢＭＳと称される。
【００４１】
ＬＴＥ仕様では、スタートＭＢＭＳサービスセッションにおいて通知されるべきユーザ装置の発見チェーン（従って、おそらくは、グループコール指示）は、次の通りである。ユーザ装置は、マルチキャスト無線ネットワーク一時的識別子（Ｍ−ＲＮＴＩ）によって識別される特定パケットデータコントロールチャンネル（ＰＤＣＣＨ）メッセージであるＭＢＭＳコントロールチャンネル（ＭＣＣＨ）変更通知を周期的に監視する。そのような通知は、セル内の考えられる８つのＭＣＣＨのどれがコンテンツを変更しようとしているか識別する。そのＭＣＣＨの次の変更周期のスタートに、ユーザ装置は、識別されたＭＣＣＨを受信する（ＭＣＣＨコンテンツは、変更周期内には変化しない）。次いで、ユーザ装置は、ＭＣＣＨコンテンツからの発生時にサービスを識別し、そしてサービスの受信をスタートするために必要な送信パラメータを見出す。
【００４２】
仕様書ＴＳ３６．３３１に現在捕捉されているように、種々のＭＢＭＳ特有のパラメータの現在値範囲は、ＶＧＣＳの遅延要求をほとんど考慮に入れておらず、ＭＣＣＨ変更周期は、現在少なくとも５秒であり、これは、達成できるコール設定時間に著しく影響し、そしてＭＣＣＨスケジューリング周期は、少なくとも８０ｍｓであり、これは、通常のｅＮｏｄｅＢ動作に鑑み、充分な音声サービスクオリティ経験を達成する上で端−端パケット遅延を増加させる。
【００４３】
以下、図２を参照して、ある実施形態を更に詳細に説明する。図２は、通常、サーバー、ノード、ベースステーション、又はホストに関連している。この実施形態は、ブロック２００で始まる。
【００４４】
ブロック２０２において、少なくとも１つのブロードキャストサービスベアラを使用することにより、少なくとも１つの装置グループをターゲットとするグループサービス特有のグループサービスデータは搬送される。
【００４５】
ブロードキャストサービスベアラは、ブロードキャスティングに使用するよう設計された無線ベアラである（一般的に、ベアラは、１つ以上のサービスを搬送する）。既に上述したように、ブロードキャスティングは、典型的に、同時に同じデータを複数のユーザへ搬送するのに使用される。ＬＴＥのＭＢＭＳサービスは、ブロードキャストサービスの一例である。
【００４６】
グループサービスとは、サービス加入者の所定グループにより同時に受け取ることができるように、１つ以上のチャンネルに単一の音声コールを与えるよう設計された音声グループコールサービス（ＶＧＣＳ）である。グループコールは、特定の地理的エリアに制限される。同じグループコールエリアの異なるグループに対して同時音声グループコールが存在してもよい。
【００４７】
グループサービスデータは、コール、ビデオコール、ビデオクリップ、等である。
【００４８】
ターゲット装置とは、加入者識別モジュール（ＳＩＭ）を伴ったり伴わなかったりして動作するワイヤレス移動通信装置を含むポータブルコンピューティング装置を指し、これは、次の形式の装置、即ち移動ステーション（移動電話）、スマートホン、パーソナルデジタルアシスタント（ＰＤＡ）、ハンドセット、ワイヤレスモデムを使用する装置（アラーム又は測定装置、等）、ラップトップ及び／又はタッチスクリーンコンピュータ、タブレット、ゲームコンソール、ノートブック、及びマルチメディア装置を含むが、これに限定されない。又、ターゲット装置は、ＬＴＥレールウェイシステムに対して設計することもできる。
【００４９】
ブロック２０４において、少なくとも１つのブロードキャストサービスベアラは、グループサービスデータが搬送されないときでもグループサービスデータの搬送に対してアクティブであることが示される。
【００５０】
少なくとも１つの「連続的」なベアラが与えられる。ベアラは、サービスデータ送信が実際にアクティブでない（データを搬送しない）ときでも、少なくとも１つのブロードキャストサービスベアラがサービスデータ送信のためにアクティブである（データを搬送する）との情報がシグナリングされるという意味で、典型的に連続的である。この場合に、ノードは、マルチキャストチャンネルスケジューリング周期に、一度、その周期におけるサービスデータの位置をシグナリングする。当該サービスがアクティブでないときには、そのベアラにおいてデータが搬送されず、これは、スケジューリングデータでも通知される。これは、ユーザ装置のバッテリの使用をより合理的なものとすることができ、即ちサービスが同じマルチキャストチャンネルにおいてマルチプレクスされて送信されるときに、各サービスが無線送信に生じる期間は、スケジューリングデータが送信される期間よりも短い。ボイスオーバーインターネット（ＶｏＩＰ）パケットは、通常、２０ｍｓごとに搬送されることが明らかであるが、ユーザ装置は、１秒ごとより頻繁にスケジューリングデータをチェックするためにウェイクアップしないことが好ましい。サービスデータが搬送されるときには、スケジューリングデータは、サービスが「オン」であることをユーザ装置に通知し、従って、それが真でないときでも、スケジューリング周期の全期間中、ユーザ装置が受信モードになければならないことを通知する。これは、ユーザ装置のバッテリをより経済的に使用できるようにする。
【００５１】
現在のＬＴＥ仕様によれば、ＭＢＭＳサービスブロードキャスト（及びユーザ装置によるその受信）は、マルチキャストチャンネル（ＭＣＨ）スケジューリング周期（ＭＳＰ、その巾は、構成可能）へ分割される。典型的に、そのような周期ごとに、ノードＢ（又はｅＮｏｄｅＢ）は、同期（ＳＹＮＣ）プロトコルヘッダにより指示されるようにそのマルチキャストチャンネルにおいて時分割多重化されてその周期においてブロードキャストされるべき各サービスからのサービスデータをコアネットワークから受け取る。又、（ｅ）ＮｏｄｅＢは、各サービスを搬送するその周期中に最後のサブフレームを指示するＭＣＨスケジューリング情報（ＭＳＩ）媒体アクセスコントロール（ＭＡＣ）コントロールエレメントを形成し、そしてその周期中にそのＭＣＨのサブフレームを使用して、先ずＭＳＩを、次いで、時分割多重化サービスを、所定の順序で次々にブロードキャストする。
【００５２】
前記手順では、全ての当該（ｅ）ＮｏｄｅＢが端−端パケット遅延に影響を及ぼす同じＭＳＩを発生できるように、サービスデータを完全に受信しなければならないことを理解されたい。
【００５３】
一実施形態において、（ｅ）ＮｏｄｅＢは、サービスデータを搬送する前に所与のスケジューリング周期中に全てのサービスデータを受信するまで待機するのではなく、所与のスケジューリング周期にサービスデータの残りを受信しながらそのスケジューリング周期に予めデータを搬送する。従って、ボイスオーバーインターネットプロトコル（ＶｏＩＰ）サービスの遅延要件に従うブロードキャスト／マルチキャストサービスセンター（ＢＭ−ＳＣ）によりＳＹＮＣタイムスタンプが実施される。従って、サービスデータは、マルチキャストチャンネルスケジューリング周期が利用できるときに適宜に搬送される。
【００５４】
上述した手順は、典型的に、次のことを仮定していることが明らかである。即ち、各サービスのマルチキャストトラフィックチャンネル（ＭＴＣＨ）に対して、ＭＣＨスケジューリング情報ＭＡＣコントロールエレメント［ＴＳ３６．３２１］における「ストップＭＴＣＨ」フィールドのための２つの許容値のみが与えられ、即ち、第１に、サービスがその周期内にスケジューリングされないことを指示する（既に指定された）特殊な値２０４７、及び第２に、サービスがその全周期にわたってスケジュールされたことを意味する値（そのような場合でなくても、例えば、コールの終わりに）が与えられる。各スケジューリング周期をスタートするため、（ｅ）ＮｏｄｅＢは、所与のサービスがその周期にスケジューリングされると思われるかどうかの決定に時間限界を適用し、そしてそれに応じて動作する。
【００５５】
ＳＹＮＣタイムスタンプは、２０ｍｓのインクリメントを適用し（ボイスオーバーインターネットプロトコル（ＶｏＩＰ）パケットが２０ｍｓごとに発生され受け取られることを仮定して）、そして現在のＬＴＥ仕様における各スケジューリング周期ではなく、このタイムスタンプに基づいて、（ｅ）ＮｏｄｅＢは、各ＭＣＨサブフレームにおいて同時のアクティブコールごとに別々にサービスデータのＭＡＣマルチプレクシングを適用する。ＳＹＮＣタイムスタンプは、現在のニーズ及び／又は規格に基づいて変更可能である。サービスデータは、各マルチキャストチャンネルサブフレームにおいてサービスごとにマルチプレクスされ又はＭＡＣマルチプレクスされる。
【００５６】
マルチキャストチャンネルのリソース割り当ては、ＶｏＩＰパケット搬送又は他の規格に基づく。
【００５７】
各マルチキャストチャンネル（ＭＣＨ）スケジューリング周期の時間巾は、少なくとも実質的に大きな値にセットされる。例えば、ＭＣＨスケジューリング周期は、典型的なページング不連続受信（ＤＲＸ）周期に対応する１．２８秒にセットされる。
【００５８】
１つの実施形態では、グループサービスデータ搬送がアクティブである場合に、マルチキャストチャンネルスケジューリング周期の時間巾全体にわたるサービスデータの存在がスケジューリング情報においてシグナリングされる。
【００５９】
実施形態は、必ずしも、ユーザ装置のオペレーションに影響を及ぼさないことが明らかである。ユーザ装置は、それが契約したグループアイデンティティ（ＩＤ）に対応する常時オンのＭＢＭＳブロードキャストベアラを受信し続ける。所与のグループアイデンティティに対する実際のデータを発見すると、ユーザ装置は、そのデータを上位レイヤへ配送し、上位レイヤは、到来するコールの適用を暗示的に変更するものとして機能する。
【００６０】
１つの実施形態を簡単に説明するに、グループ電話サービスのコール設定時間及び端−端遅延要求を与えるために、ＬＴＥ  ＭＢＭＳの現在オペレーションモデルが２つの理由で変更されると言える。即ち、第１に、セッションスタート手順を経て進んで（コールに対応する）各サービスセッションをスタートして著しい遅延を生じさせること、及び第２に、一部分は、サービスデータの搬送中に、２つの時間周期で、ユーザ装置がサービススケジューリングをチェックするためにウェイクアップするとき、及び時間周期中に、無線送信が等しくなる前に（ｅ）ＮｏｄｅＢがコアネットワークからサービスデータを受信しなければならないことに関して。
【００６１】
以上に開示した実施形態をサポートして又はそれに対応してユーザ装置で実施される方法の一例を図４により簡単に説明する。その実施形態は、ブロック４００で開始される。
【００６２】
ブロック４０２において、グループサービススケジューリング情報がチェックされる。
【００６３】
グループサービスは、１つ以上のチャンネルに単一の音声コールを与えて、サービス加入者の所定グループにより同時に受信できるように設計された音声グループコールサービス（ＶＧＣＳ）である。グループコールは、特定の地理的エリアに制限される。同じグループコールエリアの異なるグループに対して同時の音声グループコールが存在する。
【００６４】
グループサービスデータは、コール、ビデオコール、ビデオクリップ、等である。
【００６５】
マルチキャストチャンネルのスケジューリング周期に一度チェックが行われる。
【００６６】
グループサービススケジューリング情報がマルチキャストチャンネルスケジューリング周期におけるグループサービスデータの存在を指示する場合には（ブロック４０４）、グループサービスデータが聴取され（ブロック４０６）、そして上位のアプリケーションレイヤに、グループサービスがアクティブであることが指示される（ブロック４０８）。
【００６７】
一実施形態では、ユーザ装置は、ブロードキャストベアラがデータを搬送するときだけサービスが「オン」であると解釈する。これは、オープンシステム相互接続モデル（ＯＳＩモデル）に従って無線プロトコルスタックの上にあるアプリケーションレイヤの責任である。他方、システムは、上述した「連続的」なベアラ手順をサポートする。
【００６８】
実施形態は、ブロック４１０で終了となる。実施形態は、多数の仕方で繰り返すことができる。その一例が図４に矢印４１２で示されている。
【００６９】
ＬＴＥレールウェイへの適用性に関して、マルチキャストチャンネル当たり現在アクティブなグループコールについては、レールウェイオペレータが、ここで４ＭＨｚの周波数スペクトルにアクセスすることができ、従って、４ＭＨｚの単一ＭＣＨサブフレーム（ひいては、ＭＣＨ）が、典型的に同時コールのほぼ１０個の５０バイトＶｏＩＰパケットを受け入れできると推定される。従って、２つ以上のＭＣＨを構成する必要性が生じる。更に、ネットワークにおいて異なるグループコールエリアを構成する必要がある場合には、参加セルの異なるセットとの単一周波数ネットワーク（ＭＢＳＦＮ）を経てのマルチメディアブロードキャストは、典型的に、それら自身のマルチキャストチャンネルを要求する。
【００７０】
この実施形態は、ブロック２０５で終了となる。この実施形態は、多数の仕方で繰り返すことができる。その１つの例が図２に矢印２０８で示されている。
【００７１】
図２又は４において上述したステップ／ポイント、シグナリングメッセージ、及び関連機能は、絶対的な時間的順序ではなく、ステップ／ポイントの幾つかは、同時に遂行されてもよいし、又は前記とは異なる順序で遂行されてもよい。又、他の機能が、ステップ／ポイント間又はステップ／ポイント内で実行されてもよく、そしてここに示すメッセージ間に他のシグナリングメッセージが送信されてもよい。ステップ／ポイントの幾つか又はステップ／ポイントの一部分が省略されてもよいし、或いは対応するステップ／ポイント又はステップ／ポイントの一部分と置き換えられてもよい。
【００７２】
搬送、送信及び／又は受信は、ここでは、データ搬送、送信及び／又は受信を準備すること、搬送、送信及び／又は受信されるべきメッセージを準備すること、或いは場合によっては物理的な送信及び／又は受信それ自体、等を意味することを理解されたい。
【００７３】
一実施形態は、図２を参照して上述したプロセスを実行できるノード、ホスト、サーバー又は他の適当な装置である装置を提供する。
【００７４】
図３は、そのような実施形態の簡単なブロック図である。
【００７５】
一実施形態による装置の一例として、グループサービスデータ搬送がアクティブでないときでも少なくとも１つのブロードキャストサービスベアラがグループサービスデータ搬送に対してアクティブであることを指示する、等の実施形態の機能を遂行するためのコントロールユニット３０４内のファシリティ（例えば、１つ以上のプロセッサを含む）を含めて、ノード装置、ホスト又はサーバーのような装置３００が示されている。
【００７６】
ブロック３０６は、通常、無線前端、ＲＦ部、無線部、等と称される、送受信に必要なパーツ／ユニット／モジュールを含む。
【００７７】
装置３００の別の例は、少なくとも１つのプロセッサ３０４と、コンピュータプログラムコードを含む少なくとも１つのメモリ３０２とを備え、少なくとも１つのメモリ及びコンピュータプログラムコードは、少なくとも１つのプロセッサとで、装置が、少なくとも：少なくとも１つのブロードキャストサービスベアラを使用することにより少なくとも１つの装置グループをターゲットとするグループサービス特有のグループサービスデータを搬送し；及びグループサービスデータが搬送されないときでもグループサービスデータ搬送のために少なくとも１つのブロードキャストサービスベアラがアクティブであることを指示する；ようにさせるよう構成される。
【００７８】
装置の更に別の一例は、少なくとも１つのブロードキャストサービスベアラを使用することにより少なくとも１つの装置グループをターゲットとするグループサービス特有のグループサービスデータを搬送する手段３０４と、グループサービスデータが搬送されないときでもグループサービスデータ搬送のために少なくとも１つのブロードキャストサービスベアラがアクティブであることを指示する手段３０４とを備えている。
【００７９】
装置の更に別の一例は、少なくとも１つのブロードキャストサービスベアラを使用することにより少なくとも１つの装置グループをターゲットとするグループサービス特有のグループサービスデータを搬送するように構成された搬送ユニットと、グループサービスデータが搬送されないときでもグループサービスデータ搬送のために少なくとも１つのブロードキャストサービスベアラがアクティブであることを指示するように構成されたインジケータとを備えている。
【００８０】
別の実施形態は、図４を参照して上述したプロセスを実行できるユーザ装置又は他の適当な装置である装置を提供する。
【００８１】
図５は、そのような装置の簡単なブロック図である。一実施形態による装置の一例として、グループサービススケジューリング情報がマルチキャストチャンネル周期におけるグループサービスデータの存在を指示する場合に、グループサービススケジューリング情報をチェックし、グループサービスデータを聴取し、そしてグループサービスのアクティブな状態を上位のアプリケーションレイヤに指示する、等の実施形態の機能を遂行するためのコントロールユニット５０４内のファシリティ（例えば、１つ以上のプロセッサを含む）を含めて、ユーザ装置のような装置５００が示されている。
【００８２】
ブロック５０６は、通常、無線前端、ＲＦ部、無線部、等と称される、送受信に必要なパーツ／ユニット／モジュールを含む。
【００８３】
装置５００の別の例は、少なくとも１つのプロセッサ５０４と、コンピュータプログラムコードを含む少なくとも１つのメモリ５０２とを備え、少なくとも１つのメモリ及びコンピュータプログラムコードは、少なくとも１つのプロセッサとで、装置が、少なくとも：グループサービススケジューリング情報がマルチキャストチャンネルスケジューリング周期におけるグループサービスデータの存在を指示する場合に、グループサービススケジューリング情報をチェックし、グループサービスデータを聴取し、そしてグループサービスのアクティブな状態を上位のアプリケーションレイヤに指示するようにさせるよう構成される。
【００８４】
装置の更に別の例は、グループサービススケジューリング情報がマルチキャストチャンネルスケジューリング周期におけるグループサービスデータの存在を指示する場合に、グループサービススケジューリング情報をチェックする手段５０４と、グループサービスデータを聴取する手段５０４と、グループサービスのアクティブな状態を上位のアプリケーションレイヤに指示する手段５０４とを備えている。
【００８５】
装置の更に別の例は、グループサービススケジューリング情報がマルチキャストチャンネルスケジューリング周期におけるグループサービスデータの存在を指示する場合に、グループサービススケジューリング情報をチェックするように構成されたチェックユニットと、グループサービスデータを聴取するように構成されたコミュニケータと、グループサービスのアクティブな状態を上位のアプリケーションレイヤに指示するように構成された指示ユニットとを備えている。
【００８６】
装置は、送信及び／又は受信に又はそのために使用される無線部又は無線ヘッドのような他のユニット又はモジュール等を含み、又はそれらに結合されることを理解されたい。これは、図３及び５に、任意のブロック３０６及び５０６として示されている。
【００８７】
又、装置は、図３及び５では１つのエンティティとして描かれたが、異なるモジュール及びメモリが１つ以上の物理的又は論理的なエンティティにおいて具現化されてもよい。
【００８８】
又、装置は、一般的に、少なくとも１つのメモリユニット及び種々のインターフェイスに作動的に結合されてコントロール機能を実行するように設計された少なくとも１つのプロセッサ、コントローラ、又はユニットを備えている。更に、メモリユニットは、揮発性及び／又は不揮発性メモリを含む。又、メモリユニットは、プロセッサが前記実施形態に基づくオペレーションを遂行するためにコンピュータプログラムコード及び／又はオペレーティングシステム、情報、データ、コンテンツ、等を記憶する。各メモリユニットは、ランダムアクセスメモリ、ハードドライブ、等である。又、メモリユニットは、装置へ少なくとも部分的に除去可能に及び／又は取り外し可能に作動的に結合される。メモリは、現在の技術環境に適した形式のものであり、そして半導体ベースの技術、フラッシュメモリ、磁気及び／又は光学的メモリ装置のような適当なデータ記憶技術を使用して具現化される。メモリは、固定でもよいし、又は除去可能でもよい。
【００８９】
装置は、ソフトウェアアプリケーション又はモジュールでもよいし、或いは演算オペレーション又はプログラム（追加又は更新型ソフトウェアルーチンを含む）として構成されてオペレーションプロセッサにより実行されるユニットでもよい。ソフトウェアルーチン、アプレット及びマクロを含めて、プログラム製品又はコンピュータプログラムとも称されるプログラムは、装置で読み取り可能なデータ記憶媒体に記憶され、そしてそれらは、特定のタスクを遂行するためのプログラムインストラクションを含む。コンピュータプログラムは、オブジェクティブＣ、Ｃ、Ｃ＋＋、Ｊａｖａ（登録商標）、等の高レベルプログラミング言語、或いはマシン言語又はアッセンブラーのような低レベルプログラミング言語であるプログラミング言語によりコード化される。
【００９０】
実施形態の機能を具現化するのに必要な変更及び構成は、追加又は更新型ソフトウェアルーチン、アプリケーション回路（ＡＳＩＣ）及び／又はプログラマブル回路として具現化されるルーチンとして遂行される。更に、ソフトウェアルーチンは、装置にダウンロードされてもよい。ノード装置又は対応するコンポーネントのような装置は、少なくとも、演算オペレーションに使用される記憶容量を与えるためのメモリ、及び演算オペレーションを実行するためのオペレーションプロセッサを含めて、単一チップコンピュータエレメントのようなコンピュータ又はマイクロプロセッサとして或いはチップセットとして構成される。
【００９１】
前記実施形態は、配布媒体に実施されるコンピュータプログラムであって、電子装置にロードされたときに、上述した装置を構成するプログラムインストラクションより成るコンピュータプログラムを提供する。
【００９２】
他の実施形態は、コンピュータで読み取り可能な媒体に実施されるコンピュータプログラムであって、前記方法の実施形態を遂行するプロセッサをコントロールするように構成されたコンピュータプログラムを提供する。コンピュータで読み取り可能な媒体は、非一時的媒体である。
【００９３】
コンピュータプログラムは、ソースコード形態であるか、オブジェクトコード形態であるか、又はある中間形態であり、そしてプログラムを搬送できるエンティティ又は装置であるある種のキャリア、配布媒体、又はコンピュータ読み取り可能な媒体に記憶される。そのようなキャリアは、例えば、レコード媒体、コンピュータメモリ、リードオンリメモリ、電気的キャリア信号、テレコミュニケーション信号、及びソフトウェア配布パッケージを含む。必要な処理パワーに基づいて、コンピュータプログラムは、単一の電子的デジタルコンピュータで実行されてもよいし、或いは多数のコンピュータ間に分散されてもよい。コンピュータで読み取り可能な媒体は、非一時的媒体である。
【００９４】
ここに述べた技術は、種々の手段により具現化される。例えば、これらの技術は、ハードウェア（１つ以上の装置）、ファームウェア（１つ以上の装置）、ソフトウェア（１つ以上のモジュール）、又はその組み合わせで具現化することができる。ハードウェアの具現化については、装置は、１つ以上の特定用途向け集積回路（ＡＳＩＣ）、デジタル信号プロセッサ（ＤＳＰ）、デジタル信号処理装置（ＤＳＰＤ）、プログラム可能なロジック装置（ＰＬＤ）、フィールドプログラマブルゲートアレイ（ＦＰＧＡ）、プロセッサ、コントローラ、マイクロコントローラ、マイクロプロセッサ、デジタル改善型回路、ここに述べる機能を遂行するように設計された他の電子ユニット、又はその組み合わせにおいて具現化される。ファームウェア又はソフトウェアについては、ここに述べる機能を遂行する少なくとも１つのチップセットのモジュール（例えば、手順、機能、等）を通して具現化を行うことができる。ソフトウェアコードは、メモリユニットに記憶され、そしてプロセッサにより実行される。メモリユニットは、プロセッサ内で具現化されてもよいし、プロセッサの外部で具現化されてもよい。後者のケースでは、良く知られたように、メモリユニットは、種々の手段を経てプロセッサに通信結合される。更に、ここに述べるシステムのコンポーネントは、ここに述べる観点、等の達成を促進するために付加的なコンポーネントによって再配置及び／又は補足されてもよく、そして所与の図面に描かれた正確な構成に限定されないことが当業者に明らかであろう。
【００９５】
当業者であれば、技術の進歩に伴い、本発明の概念が種々の仕方で具現化されることが明らかであろう。本発明及びその実施形態は、以上に述べた例に限定されず、特許請求の範囲内で変更されてもよい。
【符号の説明】
【００９６】
１００、１０２：ユーザ装置
１０４、１０６：通信チャンネル
１０８：（ｅ）ＮｏｄｅＢ
１１０：コアネットワーク（ＣＮ）
１１２：インターネット
３００：装置
３０２：メモリ
３０４：プロセッサ
５００：装置
５０２：メモリ
５０４：プロセッサ
【図１】
2014520440.tif 000003
【図２】
2014520440.tif 000004
【図３】
2014520440.tif 000005
【図４】
2014520440.tif 000006
【図５】
2014520440.tif 000007
【国際調査報告】
2014520440.tif 000008
2014520440.tif 000009
2014520440.tif 000010
2014520440.tif 000011
2014520440.tif 000012